(57)【要約】セットトップボックス（２１０）によって供給されるビデオ信号を記録する、プログラミング可能なレコーダ（１００）が、セットトップボックス（２１０）の動作状態を示す信号をモニタリングすると共に状態信号を生成するモニタリング回路と、前記状態信号に基づいて、セットトップボックス（２１０）は動作しているかどうかを判断すると共に判断信号を生成する論理回路と、前記判断信号に応答して、プログラミングされた応答をもたらす制御回路とを含む。所望ならば、前記プログラミングされた応答は、スケジューリングされた記録イベントを取り消すものとなる。典型的な例において、前記プログラミング可能なレコーダは、アラーム回路を含む。このように、前記プログラミングされた応答は、セットトップボックス（２１０）が動作していないことを示すアラームを供給している。他の典型的な例において、前記プログラミング可能なレコーダは、プログラミング可能なレコーダ（１００）とセットトップボックス（２１０）制御設備との間の通信を可能にする通信回路を含み、前記プログラミングされた応答は、セットトップボックス（２１０）が動作していないことを示す電子メッセージをセットトップボックス（２１０）制御設備に送信することによりなされる。プログラミング可能なレコーダ（１００）が、モニタリングと、プログラミングされた応答及び対応する信号とをもたらすことを可能にする、コンピュータが読み出し可能な命令を記憶するメモリも記載されている。
2004519948.tif 000002
【特許請求の範囲】
【請求項１】
セットトップボックスによって供給されるビデオ信号を記録するための、プログラミング可能なレコーダであって、
前記セットトップボックスの動作状態を示す信号をモニタリングすると共に状態信号を生成するモニタリング回路と、
前記状態信号に基づいて前記セットトップボックスが動作しているかどうかを判断すると共に判断信号を生成する手段と、
前記判断信号に応答して、プログラミングされた応答をもたらす制御回路と
を有するレコーダ。
【請求項２】
前記プログラミングされた応答が、スケジューリングされた記録イベントの取り消しの態様を有する請求項１に記載のプログラミング可能なレコーダ。
【請求項３】
前記プログラミング可能なレコーダとセットトップボックス制御設備との間の通信を可能にする通信回路
を更に有し、
前記プログラミングされた応答が、前記セットトップボックスは動作していないことを示す電子メッセージを前記セットトップボックス制御設備に送信する態様を有する
請求項１に記載のプログラミング可能なレコーダ。
【請求項４】
前記セットトップボックスのすぐ近くに配置されるセンサを更に有し、
前記信号は、前記セットトップボックスのオン−オフ状態を示しており、前記状態信号が、前記セットトップボックスのオン−オフ状態を示す
請求項１に記載のプログラミング可能なレコーダ。
【請求項５】
前記セットトップボックスの前記状態を示す前記信号は、前記セットトップボックスによって出力される前記ビデオ信号を有し、
前記モニタリング回路は、前記ビデオ信号をモニタリングし、前記ビデオ信号が前記プログラミング可能なレコーダの入力端子に入力されるとき前記状態信号を生成する
請求項１に記載のプログラミング可能なレコーダ。
【請求項６】
前記セットトップボックスの前記状態を示す前記信号は、前記セットトップボックスによって出力される前記ビデオ信号を有し、
前記モニタリング回路は、前記ビデオ信号を解析し、前記ビデオ信号の少なくとも一部が変化しているとき前記状態信号を生成する
請求項１に記載のプログラミング可能なレコーダ。
【請求項７】
前記セットトップボックスの前記状態を示す前記信号は、前記セットトップボックスによって出力される前記ビデオ信号を有し、
前記モニタリング回路は、前記ビデオ信号を解析し、前記ビデオ信号がテレビプログラム信号と一致しているとき前記状態信号を生成する
請求項１に記載のプログラミング可能なレコーダ。
【請求項８】
前記セットトップボックスの前記状態を示す前記信号は、前記セットトップボックスによって出力される前記ビデオ信号を有し、
前記モニタリング回路は、前記ビデオ信号を解析し、前記ビデオ信号の選択された部分がフレームからフレームに変化するとき前記状態信号を生成する
請求項１に記載のプログラミング可能なレコーダ。
【請求項９】
前記セットトップボックスの前記状態を示す前記信号は、前記セットトップボックスによって出力される前記ビデオ信号を有し、
前記モニタリング回路は、前記ビデオ信号を解析し、前記ビデオ信号の選択された部分がフレームからフレームに変化すると共に前記ビデオ信号がテレビプログラム信号と一致しているとき前記状態信号を生成する
請求項１に記載のプログラミング可能なレコーダ。
【請求項１０】
前記セットトップボックスの前記状態を示す前記信号は、前記セットトップボックスによって出力される前記オーディオ信号を有し、
前記モニタリング回路は、前記オーディオ信号を解析し、前記オーディオ信号が入力されると共に、予期された態様で変化しているとき、前記状態信号を生成する
請求項１に記載のプログラミング可能なレコーダ。
【請求項１１】
スケジューリングされた記録イベントの間に記録されるべきプログラミング可能なレコーダによって受信されるビデオ信号が、前記スケジューリングされた記録イベントをサポートしないことを示すプログラミング可能なレコーダにより自動的に生成される信号。
【請求項１２】
セットトップボックスによって出力される、前記セットトップボックスの前記動作状態を示す入力信号をモニタリングするステップを有することを特徴とする、プログラミング可能なレコーダを操作するための方法において、前記モニタリングするステップが、
前記入力信号をモニタリングする際、状態信号を生成するステップと、
前記状態信号に基づいて、前記セットトップボックスが動作しているかどうかを判断するステップと、
判断信号を生成するステップと、
前記判断信号に応答して、プログラミングされた応答をもたらすステップと
を更に有することを特徴とする方法。
【発明の詳細な説明】
【０００１】
【発明の属する技術分野】
本発明は、概してパーソナルテレビ受信器（ｐｅｒｓｏｎａｌ  ＴＶ  ｒｅｃｅｉｖｅｒ（ＰＴＲ））に関する。より具体的には、本発明は、上位のセットトップボックスが動作不能なことを認識する性能を有する、改良されたＰＴＲに関する。動作不能なセットトップボックスを認識するようにＰＴＲを操作するための、対応する方法も開示されている。
【０００２】
【従来の技術】
パーソナルテレビ受信器（ＰＴＲ）、ディジタルビデオレコーダ（ＤＶＲ）、又は、単にディスクバッファテレビ（ｄｉｓｋ  ｂｕｆｆｅｒｅｄ  ｔｅｌｅｖｉｓｉｏｎ（ＤＢＴ））を含むいくつかの名称によって知られている新型の民生電子機器製品が、ホームエンタテイメント製品市場に最近投入されている。ＰＴＲは、テレビを、テープの代わりに内蔵ハードドライブに記録することによって、家庭用の従来型ＶＣＲを置き換えるか、又は補うよう意図されるものである。通常のＰＴＲ１００は、図１に示されている順に構成される、チューナ１１０、ＭＰＥＧ−２エンコーダ１２０、書き込み用ランダムアクセスメモリ（ＲＡＭ）バッファ１３０、ディスクドライブ１４０、読み出し用ＲＡＭバッファ１５０、及びＭＰＥＧ−２デコーダ１６０を含んでいる。当該コンポーネントの各々は、ＣＰＵ３００によって制御される。ＭＰＥＧ−２デバイスとして特定されているが、ビデオ信号は、何れかのイントラフレーム（ｉｎｔｒａｆｒａｍｅ）若しくはイントラフレーム及びインタフレーム（ｉｎｔｅｒｆｒａｍｅ）圧縮技術を使用して圧縮され得るので、前記ビデオ信号が、限定されないが、ＭＰＥＧ、ＭＪＰＥＧ、ＡＶＩ、ＤＶＩ／ＲＴＶ、及びインデオビデオ（Ｉｎｄｅｏ  Ｖｉｄｅｏ）等を含む、いかなる知られているビデオデータフォーマットであっても記憶され得ることは注意されるべきである。好ましくは、ディスクドライブ１４０が、好ましくは数十ギガバイトの容量を有する大容量ハードディスクドライブであることも注意されるであろう。ＣＰＵ３００は、例えば、所定の回数で所定のチャネルからプログラムを選択すると共に記録するようにチューナ１１０をプログラミングする、知られている態様で使用され得る。
【０００３】
従来型ＶＣＲに関するＰＴＲの一つの主要な利点は、ＰＴＲが、他のプログラムを再生中に、一つのプログラムを記録し得るということは評価されるであろう。ＰＴＲ１００は、テレビのディスプレイを駆動するのに適しているアナログ信号とディスクドライブ１４０に記憶するのに適しているディジタルデータとの間の変換を行うために、アナログ−ディジタルコンバータ及びディジタル−アナログコンバータ（ＡＤＣ及びＤＡＣ）も含んでいることは注意されるであろう。当該及び他の構成要素は、以下詳細に議論されるであろう。
【０００４】
ＰＴＲを購入する消費者は、図２に示されているように、従来型ケーブルテレビセットトップボックス又は衛星テレビ受信器（以下単にセットトップボックスと称す）と、テレビセットとの間に前記デバイスをしばしば備え付けるであろう。前記セットトップボックスにより、前記消費者は、ＰＴＲ１００におけるケーブル対応チューナ１１０を介してアクセスされ得ないプレミアムチャネル（ｐｒｅｍｉｕｍ  ｃｈａｎｎｅｌ）等を受信し続けることが可能となる。図２は、セットトップボックス２１０がＰＴＲ１００を介してテレビ２２０に接続されているエンタテイメントシステム２００の、一つの可能な構成を示している。セットトップボックス２１０をＰＴＲ１００に接続するケーブル２３０、及びＰＴＲ１００をテレビ２２０に接続するケーブル２４０（図２において図示略）がそれぞれ、同軸ケーブル、オーディオ／ビデオ（Ａ／Ｖ）ケーブル、又はＳ−ビデオケーブルのうちの一つとなり得ることは注意されるであろう。追加の制御チャネル２５０／２６０は、すぐに以下詳細に議論されるように、セットトップボックス２１０とＰＴＲ１００との間に設けられる。
【０００５】
ＰＴＲ１００の現在のモデルは、セットトップボックス２１０においてリモコンＩＲセンサ（ｒｅｍｏｔｅ  ｃｏｎｔｒｏｌ  ＩＲ  ｓｅｎｓｏｒ）２１２に対向して配置される赤外線送出器２５２とケーブル２５４とを含み得る一方向通信チャネル２５０を介して、セットトップボックス２１０におけるチャネル選択を制御する。制御チャネル２５０が、セットトップボックス２１０とＰＴＲ１００との対応するシリアルポート（図示略）を接続しているシリアルケーブル２６０によって置換され得ることは注意されるべきである。制御チャネル２５０とシリアルケーブル２６０との両方により、ＰＴＲ１００は、セットトップボックス２１０によって出力されるチャネルを選択することが可能となる。
【０００６】
【発明が解決しようとする課題】
しかしながら、ＰＴＲ１００は、セットトップボックス２１０が実際にＰＴＲのコマンドに応答しているかどうかを判断（ｄｅｔｅｒｍｉｎｅ）しようとしていない。従って、セットトップボックス２１０がオフされる（瞬時の電力ラインのドロップアウトの後、発生し得る）とき、又はさもなければＰＴＲ１００によって生成されるコマンドを受け損じるとき、ＰＴＲ１００は、所望のプログラムを記録しないであろう。多くのセットトップボックスはトグルオン−オフスイッチを含んでいるので、当該スイッチをトグルするために信号を送信することは、当該問題を軽減しないであろう。すなわち、前記トグルスイッチの初期値自体が不定なので、ＰＴＲ１００が記録するために準備されるスイッチングシーケンスの一部としてオン−オフＩＲコマンドを単に送信することは不定の結果をもたらすだけであろう。
【０００７】
必要とされるものは、ＰＴＲが、セットトップボックスはスケジューリングされた記録イベントを開始する前に動作しているか否かを判断することを可能にする操作方法及び対応する構成である。更に必要とされるものは、ＰＴＲが、動作不能のセットトップボックスについて修正動作（ｃｏｒｒｅｃｔｉｖｅ  ａｃｔｉｏｎ）を図ると共に、前記修正動作が有効であったかどうかを認識することを可能にする方法及び対応する構成である。更に必要とされるものは、ＰＴＲが、前記セットトップボックスは動作していないことをユーザに知らせると共に、前記セットトップボックスの前記問題が正されるまで記録動作を一時停止する方法及び対応する構成である。有利なことに、前記方法により、ＰＴＲが前記セットトップボックスの動作状態を特徴付けることを可能にする、前記セットトップボックスへの入力のための一連の制御信号を、ＰＴＲは生成し得る。
【０００８】
【課題を解決するための手段】
上記に基づいて、現在上記の欠点を克服するパーソナルテレビ受信器（ＰＴＲ）に対する技術的な要望があることは評価され得る。
【０００９】
一つの態様において、本発明による好ましい実施例により、ＰＴＲは、プログラム記録が開始される前に、前記セットトップボックスはオンされ、及び／又はＰＴＲによって生成されるコマンドに応答しているかどうかを判断することを可能にする、関連した論理とコンポーネントとを含む、改良されたパーソナルテレビ受信器（ＰＴＲ）が提供される。ＰＴＲが、前記セットトップボックスは適切に応答していないと判断すると、本発明によるＰＴＲは、有利なことに、一連のコマンドを生成すると共に入力することにより、前記セットトップボックスを応答状態に回復させることを図り得る。好ましくは、前記セットトップボックスが明らかに自身の正常な動作状態に戻され得ないとき、ＰＴＲは記録を一時停止する。更に、ＰＴＲは、ユーザに、前記セットトップボックスがサービスを要求していることを知らせるためにアラームを生成し得る。
【００１０】
一つの態様によると、本発明は、ビデオ信号源からのビデオ信号を受信可能な入力ポートをモニタリングし、前記ビデオ信号が記録可能かどうかを判断し、プロセッサが前記ビデオ信号は記録可能でないと判断するとき、出力を生成するようにプロセッサをプログラミングするための、コンピュータが読み出し可能な命令を記憶する、プログラミング可能なＴＶレコーダに関するメモリを提供する。別の態様を記載すると、本発明は、プログラミング可能なレコーダ内に配置されるプロセッサが、ビデオ信号源からのビデオ信号を受信可能な入力ポートをモニタリングし、前記ビデオ信号は記録可能かどうかを判断し、プログラミング可能なレコーダが前記ビデオ信号は記録可能でないと判断するとき、出力を生成することを可能にする、コンピュータが読み出し可能な命令を記憶する、プログラミング可能なレコーダに関するメモリを提供する。典型的な例において、前記ビデオ信号源はセットトップボックスであり、前記プログラミング可能なレコーダは、前記プログラミング可能なレコーダがセットトップボックスプロバイダと通信することを可能にするモデムを含み、前記出力は、前記セットトップボックスが動作していないことを示す、前記セットトップボックスプロバイダへの電子メールのメッセージである。他の典型的な例において、前記ビデオ源はアンテナであり、前記出力は、前記プログラミング可能なレコーダが前記入力ポートにおいて前記ビデオ信号を受信していないことを示すアラーム信号である。所望ならば、前記出力は、スケジューリングされた記録イベントを取り消すために使用され得る。
【００１１】
他の態様によると、本発明は、変化（ｃｈａｎｇｅ）のためにビデオ信号源からのビデオ信号をモニタリングし、前記変化に基づいて、前記ビデオ信号が記録可能かどうかを判断し、前記プロセッサが前記ビデオ信号は記録可能でないと判断するとき、出力信号を生成するようにプロセッサをプログラミングするための、コンピュータが読み出し可能な命令を記憶する、プログラミング可能なＴＶレコーダに関するメモリを提供する。すなわち、本発明は、プログラミング可能なレコーダ内に配置されるプロセッサが、変化のためにビデオ信号源からのビデオ信号をモニタリングし、前記変化に基づいて、前記ビデオ信号は記録可能かどうかを判断し、プログラミング可能なレコーダが前記ビデオ信号は記録可能でないと判断するとき、出力を生成することを可能にする、コンピュータが読み出し可能な命令を記憶する、プログラミング可能なレコーダに関するメモリを提供する。典型的な例において、前記プログラミング可能なレコーダは、前記ビデオ信号を解析することによって前記ビデオ信号をモニタリングし、前記プログラミング可能なレコーダによって解析される前記ビデオ信号が前記ビデオ信号のフレーム内でラインからラインに変化しているとき、前記ビデオ信号は記録可能であると判断する。代わりの典型的な例において、前記プログラミング可能なレコーダは、前記ビデオ信号を解析することによって前記ビデオ信号をモニタリングし、前記プログラミング可能なレコーダによって解析される前記ビデオ信号の多数のラインが、あるフレームから他のフレームに変化するとき、前記ビデオ信号は記録可能であると判断する。更に、前記プログラミング可能なレコーダは、前記ビデオ信号を解析することによって前記ビデオ信号をモニタリングし、前記プログラミング可能なレコーダによって解析される前記ビデオ信号が、前記ビデオ信号源によって供給される前記ビデオ信号における変化に応答して動的に変化するとき、前記ビデオ信号は記録可能であると判断し得る。すなわち、前記プログラミング可能なレコーダは、前記ビデオ信号をモニタリングし、前記プログラミング可能なレコーダによって受信される前記ビデオ信号が、テレビプログラムビデオ信号における予期された変化と一致（ｃｏｎｓｉｓｔｅｎｔ）して変化しているとき、前記ビデオ信号は記録可能であると判断する。代わりに、前記プログラミング可能なレコーダは、前記ビデオ信号と関連するオーディオ信号を解析することによって前記ビデオ信号をモニタリングすることが可能であり、それによって、前記プログラミング可能なレコーダによって解析される前記オーディオ信号がホワイトノイズでないとき、前記ビデオ信号は記録可能であると判断する。
【００１２】
更に他の態様によれば、本発明は、セットトップボックスによって供給されるビデオ信号を記録するための、プログラミング可能なレコーダであって、前記セットトップボックスの動作状態を示す信号をモニタリングすると共に状態信号を生成するモニタリング回路と、前記状態信号に基づいて前記セットトップボックスが動作しているかどうかを判断すると共に判断信号を生成する論理回路と、前記判断信号に応答してプログラミングされた応答をもたらす制御回路とを含むレコーダを提供する。所望ならば、前記プログラミングされた応答は、スケジューリングされた記録イベントを取り消すものとなる。典型的な例において、前記プログラミング可能なレコーダは、アラーム回路を含んでいる。従って、プログラミングされた応答は、前記セットトップボックスが動作していないことを示すアラームをもたらしている。他の典型的な例において、前記プログラミング可能なレコーダは、前記プログラミング可能なレコーダとセットトップボックス制御設備との間の通信を可能にする通信回路を含んでおり、前記プログラミングされた応答は、前記セットトップボックスが動作していないことを示す電子メッセージをセットトップボックス制御設備に送信することによりなされる。一つの例において、前記プログラミング可能なレコーダは、有利なことに、前記セットトップボックスのすぐ近くに配置されているセンサを含んでいる。この場合、前記信号は、前記セットトップボックスのオン−オフ状態を示しており、前記状態信号は、前記セットトップボックスのオン−オフ状態を示す。更に他の典型的な例において、前記セットトップボックスの前記状態を示している前記信号は、前記セットトップボックスによって出力される前記ビデオ信号となる。この場合、前記モニタリング回路は、前記ビデオ信号をモニタリングし、前記ビデオ信号が前記プログラミング可能なレコーダの入力端子に入力されるとき前記状態信号を生成し得るか、前記ビデオ信号を解析し、前記ビデオ信号のフレーム内の多数のラインが変化しているとき前記状態信号を生成し得るか、前記ビデオ信号を解析し、前記ビデオ信号がテレビプログラムビデオ信号と一致しているとき前記状態信号を生成し得るか、又は前記ビデオ信号を解析し、前記ビデオ信号の一部がフレームからフレームに変化するとき前記状態信号を生成し得るかの何れかとなる。代わりに、前記セットトップボックスの前記状態を示している前記信号は、前記セットトップボックスによって出力される前記オーディオ信号となり得る。この場合、前記モニタリング回路は、前記オーディオ信号を解析し、前記オーディオ信号が入力されると共に予期された態様で変化しているとき、前記状態信号を生成する。
【００１３】
他の態様によれば、本発明は、セットトップボックスによって供給されるビデオ信号を記録するための、プログラミング可能なレコーダであって、前記プログラミング可能なレコーダから前記セットトップボックスへの、コマンドシーケンスの送信を可能にする通信回路と、前記セットトップボックスの前記動作状態を示す信号をモニタリングすると共に状態信号を生成するモニタリング回路と、前記状態信号に基づいて前記セットトップボックスが動作しているかどうかを判断すると共に判断信号を生成する論理回路と、前記判断信号に応答してプログラミングされた応答をもたらす制御回路とを含むレコーダを提供する。当該態様によれば、前記モニタリング回路は、前記プログラミング可能なレコーダから前記セットトップボックスへ送信される前記コマンドシーケンスに応答している前記セットトップボックスの出力を示す前記信号をモニタリングする。前記セットトップボックスの前記状態を示す前記信号が、前記セットトップボックスによって出力される前記ビデオ信号であるとき、前記モニタリング回路は、前記ビデオ信号を解析し、前記ビデオ信号が前記コマンドシーケンスに応答して変化しているとき、前記状態信号を生成し得るか、前記オーディオ信号を解析し、前記オーディオ信号が前記コマンドシーケンスに応答して変化しているとき、前記状態信号を生成し得るかの何れかとなる。
【００１４】
なおも他の態様によれば、本発明は、ビデオ信号を記録するための、プログラミング可能なレコーダであって、前記ビデオ信号をモニタリングするための回路と、前記ビデオ信号は記録可能かどうかを判断するための回路と、前記ビデオ信号は記録可能でないとき、プログラミングされた応答を生成するための回路とを含むレコーダを提供する。典型的な例において、前記プログラミングされた応答は、スケジューリングされた記録イベントを取り消すものである。前記ビデオ信号がセットトップボックスによって供給される他の典型的な例において、前記プログラミング可能なレコーダは、セットトップボックスプロバイダと通信リンクをもたらすための回路を含むことが可能で、前記プログラミングされた応答は、前記セットトップボックスにおけるエラーを示す、前記プログラミング可能なレコーダから前記セットトップボックスプロバイダへ送信される電子メッセージとなる。他の典型的な例において、前記プログラミング可能なレコーダは、アラームを生成するための回路を含んでおり、前記プログラミングされた応答は、前記アラーム手段に対する活性化信号（ａｃｔｉｖａｔｉｏｎ  ｓｉｇｎａｌ）となる。
【００１５】
他の態様によれば、本発明は、スケジューリングされた記録イベントの間に記録されるべきプログラミング可能なレコーダによって受信されるビデオ信号が、前記スケジューリングされた記録イベントをサポートしないことを示すプログラミング可能なレコーダにより自動的に生成される信号を提供する。
【００１６】
【発明の実施の形態】
本発明のこれら及び他の特徴及び態様は、添付図面と共に以下の詳細な説明から、より容易に理解されるであろう。この場合、類似の番号が全体を通じて使用されている。
【００１７】
実施例及び典型的な適用例が、本発明の有利な内容を開示する添付図面に関連して、この場合記載されるであろう。
【００１８】
本発明は特定の用途に対する実施例に関連してここに記載されているが、本発明がそれに限定されないことは理解されるべきである。通常の当業者及びここに記載されている内容を利用する者は、その範囲内及び本発明が暗示的に有用となり得る他の分野の範囲内における他の変形例、用途例、及び実施例を理解するであろう。
【００１９】
上述のように、本発明の好ましい実施例により、各ＰＴＲは、プログラム記録が開始される前に、セットトップボックスはオンされ、及び／又はＰＴＲによって生成されるコマンドに応答しているかどうかを判断することを可能にする、関連した論理とコンポーネントとを含む、改良されたパーソナルテレビ受信器（ＰＴＲ）が提供される。ＰＴＲが、前記セットトップボックスは適切に応答していないと判断すると、本発明によるＰＴＲは、有利なことに、コマンドを生成すると共に入力することにより、前記セットトップボックスを応答状態に回復させることを図り得る。好ましくは、前記セットトップボックスが、自身の正常な動作状態に戻され得ないとき、ＰＴＲは記録を一時停止する。更に、ＰＴＲは、ユーザシステムオペレータに、前記セットトップボックスがサービスを要求していることを知らせるためにアラームを生成し得る。
【００２０】
本発明による、好ましい実施例及び対応する方法について議論する前に、ＰＴＲが、前記セットトップボックスはオンされ、ＰＴＲによって生成されるコマンドに応答しているかどうかを判断し得る、多数の態様があることは説明されるべきである。様々な代わりの方法は、静的な判断技術と動的な判断技術とに分けられ得る。前記静的な方法は、前記セットトップボックスの前記動作を直接モニタリングし、前記動的な方法は、前記セットトップボックスの前記動作を、ＰＴＲによって入力されるコマンドのシーケンスに応答してモニタリングする。静的なモニタリング方法の例には、次のことが含まれる。
１．ＰＴＲは、前記セットトップボックス自体のオン−オフ状態をモニタリングし得る。当該方法は、前記セットトップボックスにおける表示ライト（ｉｎｄｉｃａｔｏｒ  ｌｉｇｈｔ）に対向して配置される光検出器（ｐｈｏｔｏ  ｄｅｔｅｃｔｏｒ）、又は前記セットトップボックスのラインコードに誘導的に結合される電流センサ（ｃｕｒｒｅｎｔ  ｓｅｎｓｏｒ）を使用し得る。同等の方法は当業者の一人に知られており、全ての同等の方法は、本発明の範囲に入るとみなされる。当該方法は、前記セットトップボックスが実際にオンされているという肯定的なインジケーション（ｐｏｓｉｔｉｖｅ  ｉｎｄｉｃａｔｉｏｎ）を提供し得るが、前記セットトップボックスがコマンドに応答していること、及び／又は所望のビデオ出力を生成していることを自身で保証し得ないことは注意されるべきである。
２．ＰＴＲは、前記セットトップボックスからのオーディオ及び／又はビデオ出力をモニタリングすることができ、それによって、出力がもたらされていること及びほぼ無出力状態（ｎｏｎ−ｂｌａｎｋ）でないこと、例えば、ビデオのレベルがいくつかの選択されたラインの間に変化していることを判断する。しかしながら、前記セットトップボックスは、例えば待機状態（ｓｔａｎｄｂｙ  ｓｔａｔｅ）にスイッチングされるたび、又はケーブル信号が喪失する場合、ユーザ向けのビデオメッセージを作成するようプログラミングされることが可能であることは評価されるであろう。そのため、当該特定の方法は、前記セットトップボックスが、ＰＴＲによって生成されるコマンドに応答しているという肯定的なインジケーションを提供しないであろう。
【００２１】
ＰＴＲは、ビデオ情報がもたらされ、通常のＴＶプログラムと一致した態様で変化していることを保証するために、いくつかの異なるビデオフレームの、対応するラインを記録すると共に比較し得る。しかしながら、少なくともいくつかのより新しいＰＴＲ及びいくつかのより高性能のセットトップボックスが、この場合、前記セットトップボックスは正常に動作しているという誤ったインジケーションを当該技術にもたらさせ得る、メッセージスクリーンにおける動く背景（ｍｏｖｉｎｇ  ｂａｃｋｇｒｏｕｎｄ）を生成することは注意されるべきである。
【００２２】
動的なモニタリング方法の例には、次のことが含まれている。
１．ＰＴＲは、例えばパイロットランプをモニタリングすることによって、前記セットトップボックスのオン−オフ状態をモニタリングし得る一方、ＰＴＲは、前記パイロットランプの出力において、対応する変化を生成するコマンドシーケンスを送信する。
２．ＰＴＲは、前記セットトップボックスからのビデオ出力をモニタリングすることができ、それによって、出力がもたらされていること及びほぼ無出力状態でないこと、例えば、ビデオのレベルがいくつかの選択されたラインの間に変化していること、及びコマンドシーケンスが前記セットトップボックスに入力されるとき、選択されたラインのビデオのレベルは変化していることを判断する。
３．ＰＴＲは、ビデオ情報がもたらされ、コマンドシーケンスが前記セットトップボックスに入力されるとき、ビデオフレームが変化していることを保証するために、いくつかの異なるビデオフレームの、対応するラインを記録すると共に比較し得る。
４．ＰＴＲは、コマンドシーケンスが、ＰＴＲによって前記セットトップボックスに入力されるとき、前記セットトップボックスによって出力されるビデオ又はオーディオ信号のうちの一つを記録すると共に、全信号パターンを、知られている標準規格と比較し得る。例えば、ＰＴＲは、有利なことに、前記セットトップボックスが通常のコマンドに応答しているときに、ミュートされた（ｍｕｔｅｄ）通常のオーディオ信号の所定のシーケンスを生成し得るミュートコマンド（ＭＵＴＥ  ｃｏｍｍａｎｄ）を生成すると共にリリース（ｒｅｌｅａｓｅ）し得る。
【００２３】
列挙された方法の各々が個別の利点及び不利点を有していることは注意されるべきである。しかしながら、前記不利点の多くは、組み合わせて複数の当該方法を使用することによって、克服又は少なくとも最小限化されることが可能であり、その結果、前記セットトップボックスが、正常に動作していると共に、ＰＴＲによって生成されるコマンドに応答している保証レベルの向上がもたらされる。
【００２４】
列挙された技術を使用することによって、ＰＴＲは、有利なことに、前記セットトップボックスが応答しているか否かを判断し得ることは評価されるであろう。前記セットトップボックスが応答していない場合、ＰＴＲは、好ましくは一つ又はそれ以上の修正コマンド（ｃｏｒｒｅｃｔｉｖｅ  ｃｏｍｍａｎｄ）を送信する。例えば、前記セットトップボックスが明らかに待機又はオフ状態にある場合、ＰＴＲは、前記セットトップボックスの応答をモニタリングする間にオンコマンド（ＯＮ  ｃｏｍｍａｎｄ）を生成すると共に送信し得る。逆に、前記セットトップボックスが明らかにオン状態にあるが、入力されたコマンドが前記セットトップボックスに明らかに作用を及ぼしていない場合、前記コマンドは、有利なことに、繰り返され得る。ＩＲに対応している前記コマンドが信号送出される場合、有利なことに、当該信号の強さが増大され得ることは評価されるであろう。所定の数のコマンドが、前記セットトップボックスにおいて所望の応答を生成しないとき、前記セットトップボックスは、自身のプログラミングを再起動（ｒｅｂｏｏｔ）するために、繰り返しオンオフされ得る。前記動的な方法の多くも、ＰＴＲに利用可能な信号源に関係なく、ＰＴＲへの入力部において記録可能な信号の入力を確認するのに適していることは評価されるであろう。例えば、本発明による方法は、有利なことに、選択された局がアンテナから離れて利用可能かどうかを判断するために使用され得る。すなわち、所望のチャネル信号が利用可能でない場合、ＰＴＲは、ユーザに当該問題について知らせるために、アラーム信号を生成する。
【００２５】
図３において図示されている、本発明によるＰＴＲ１００’の一つの好ましい実施例は、ＰＴＲ１００’の一つの入力端子に入力される信号がテレビセット２２０に直接ルーティング（ｒｏｕｔｅ）されることを可能にする変調器（ｍｏｄｕｌａｔｏｒ）１９０に接続されているチューナ（ｔｕｎｅｒ）１１０を含んでいる。前記入力部が、セットトップボックス２１０又はアンテナ（図示略）の出力部の一つとなり得ることは評価されるであろう。ＰＴＲ１００は、チューナ１１０によって生成される信号、若しくはセットトップボックス２１０によって生成されるＡ／Ｖ又はＳ−ビデオ信号を選択し得るソースセレクタ（ｓｏｕｒｃｅ  ｓｅｌｅｃｔｏｒ）１１２も含んでいる。何れの場合であっても、セレクタ１１２の出力は、アナログ−ディジタルコンバータ（ＡＤＣ）１７０を介してＭＰＥＧ−２エンコーダ１２０に供給される。ＭＰＥＧ−２エンコーダ１２０、書き込み用ＲＡＭ（ｗｒｉｔｅ  ＲＡＭ）１３０、ディスクドライブ１４０、読み出し用ＲＡＭ（ｒｅａｄ  ＲＡＭ）１５０、及びＭＰＥＧ−２デコーダ１６０は、図３に記載されている典型的な実施例において直列態様で配置されている。ＭＰＥＧ−２デコーダ１６０の出力は、ディジタル−アナログコンバータ（ＤＡＣ）１８０の入力部に入力され、前記アナログ出力は、出力セレクタ１８８によって変調器１９０若しくはＰＴＲ１１０’のＡ／Ｖ又はＳ−ビデオ信号出力ポートのうちの一つの何れかにルーティングされる。
【００２６】
図３に記載されているＰＴＲ１００’は、有利なことに、モデム３１０に機能的に結合されている中央演算ユニット（ｃｅｎｔｒａｌ  ｐｒｏｃｅｓｓｉｎｇ  ｕｎｉｔ）（以下、“ＣＰＵ”）３００、ＲＡＭ３１２、不揮発性記憶部３１６、リードオンリーメモリ（ＲＯＭ）３１４、及び入力／出力（Ｉ／Ｏ）デバイス３１８を含んでおり、当該出力デバイスにより、ＣＰＵ３００は、様々なセンサによって生成される信号を受信することが可能となる。Ｉ／Ｏ３１８により、ＣＰＵ３００は、セットトップボックスコマンドを赤外線送出器（ｉｎｆｒａｒｅｄ  ｔｒａｎｓｍｉｔｔｅｒ）（ＩＲ）２５４に送信すると共に、例えば、センサ１１５、例えば光センサ又は電流センサから信号を受信することが可能となり、前記センサが、有利なことに、セットトップボックス２１０の状態をモニタリングするために使用され得ることは上記議論から評価されるであろう。また、Ｉ／Ｏ３１８が、リモコン（ｒｅｍｏｔｅ  ｃｏｎｔｒｏｌ）、キーボード、ノブ、及びジョイスティック等のうちの何れか一つによって生成される制御信号の受信を可能とすることも評価されるであろう。
【００２７】
図３に記載されているＣＰＵ３００は、有利なことに、ＰＴＲ１００’の動作を制御するために、記憶されているプログラム命令（すなわち、プロセスステップ）を実行し得る一つ又はそれ以上のマイクロプロセッサ３０２を含み得る。当該プログラム命令は、ＣＰＵ３００の内部メモリ３０８又はＲＯＭ３１４の何れかに記憶されていると共に、ＲＡＭ３１２から実行されるソフトウエアモジュール（以下に記載）の部分を有している。当該ソフトウエアモジュールは、モデム３１０を介して更新されてもよい。ユーザプロファイル情報等が、好ましくは不揮発性記憶部３１４に記憶される。この点に関して、不揮発性記憶部３１４は、例えば所望の新たなユーザプロファイルが再書き込みされ得るフラッシュＥＰＲＯＭ（ｆｌａｓｈ  ＥＰＲＯＭ）及びＮＶＲＡＭ等を有していてもよい。
【００２８】
図３は、ＣＰＵ３００内で実行可能なソフトウエアモジュール、すなわち実行可能ルーチン（ｅｘｅｃｕｔａｂｌｅ  ｒｏｕｔｉｎｅ）３０４の例も示している。当該実行可能ルーチン３０４が、有利なことに、上記詳細に議論されている、列挙された方法を含んでいることは評価されるであろう。マイクロプロセッサ３０２は、Ｉ／Ｏ３１８を介して送信されるデータ及び制御信号をユーザインタフェイス３０６を介して受信すると共に、制御モジュール３０８を介して制御信号を出力する。
【００２９】
図４は、ディジタル信号プロセッサ（ＤＳＰ）１１４と共にＰＴＲ３００’の構成要素の全てを含む、本発明によるＰＴＲ３００”の他の典型的な実施例を示している。更に、ＰＴＲ３００”は、典型的な例において、ＤＳＰ１１４とＭＰＥＧ−２エンコーダ１２０との間のコマンド及びデータの通信を可能にするパスを含んでいる。ＤＳＰ１１４が、有利なことに、ＰＴＲ１００”に信号解析機能を供給するようにプログラミングされ得ることは評価されるであろう。すなわち、上記列挙されている解析は、有利なことに、ＤＳＰを介して実現され得る。従って、ＤＳＰ１１４は、ＣＰＵ３００と共に、セット２１０から受信される信号、例えばオーディオ信号のいかなる部分もモニタリングし得ると共に、前記信号の前記各部分に基づいて、プログラミングされた応答を生成し得る。たいていの商取引上入手可能なＰＴＲが、少なくとも一つのＤＳＰを既に含んでいることも評価されるであろう。従って、本発明による新規な方法を実現することにより、ＰＴＲの価格に最小限の影響しか与えられないであろう。更に、ＭＰＥＧ−２エンコーダが、インタフレーム信号の変化（ｖａｒｉａｔｉｏｎ）を示す情報を生成する場合、本発明による前記新規な方法は、ＭＰＥＧ−２エンコーダ１２０によって生成される情報を使用して実現され得る。更に、ＣＰＵ３００が、ＲＡＭ１３０又はディスクドライブ１４０の何れかに記憶されている受信ビデオ信号のライン又はフレーム（若しくはそれらの部分）を、現時点のビデオ信号、例えばＡＤＣ１７０によって出力されるビデオ信号と比較し得ることは評価されるであろう。
【００３０】
図５Ａは、本発明による静的なモニタリング方法を実現するためのステップを示すフローチャートである。前記フローチャートが、セットトップボックス２１０の動作のいくつかの特徴を並列にモニタリングしている態様を示していることは評価されるであろう。当該パラメータのいくつか又は全てのモニタリングを実現することが本発明の範囲内にあるとみなされることは明瞭に理解されるべきである。
【００３１】
図５Ａの、一つの典型的な実施例による静的なモニタリング方法に示されているように、本発明は、ＰＴＲ１００’及び１００”が、記録イベントはすぐに発生するようにスケジューリングされていると判断するとき、ステップＳ１００を開始する。ステップＳ１０２の間、ＰＴＲ１００’及び１００”は、一つ又はそれ以上の前記列挙されたモニタリング方法が実行されることを可能にするソフトウエアをロードすると共に初期化する。更に、変数“Ｉ”は、所定の値、例えば“１”にセットされる。ステップＳ１０４の間、セットトップボックス２１０の動作は、例えば前記セットトップボックスの動作を示す電気信号、例えば電流センサ及び光センサのうちの一つによって生成される信号を受信することによってモニタリングされ、前記一つ又は複数の信号は、上記議論されているように、Ｉ／Ｏ３１８を介して受信される。ステップＳ１０６の間、セットトップボックス２１０が正常に動作しているかどうかを判断するようにチェックがなされる。その応答が肯定的な場合、静的なモニタリング方法は、ステップＳ１０８において停止する。
【００３２】
ステップＳ１０６においてなされる判断が否定的なとき、すなわち前記セットトップボックスは正常に動作していないことを示しているとき、ＰＴＲ１００及び１００”は修正動作、例えば、前記セットトップボックスをオンにする命令を図る。より具体的には、ステップＳ１１８の間、変数Ｉは、“１”によってインクリメントされ、チェックは、値Ｉが所定の数Ｎ、すなわちＰＴＲ１００’及び１００”がセットトップボックス２１０の動作を確認しようとする最大回数よりも大きいかどうかを判断するように、ステップＳ１２０の間、実行される。ステップＳ１２０におけるその応答が否定的な場合、ＰＴＲ１００’及び１００”は、ステップＳ１２４の間、修正コマンド又はコマンドシーケンスを生成すると共にセットトップボックス２１０に入力する。上述のように、当該コマンド又はコマンドシーケンスは、元の信号の強さ又は増大した信号の強さの何れかで、前記セットトップボックスに入力されるオンコマンドになり得る。とにかく、ステップＳ１２４が完了した後、前記セットトップボックスは、適切な動作、例えばＳ１０４からＳ１０６へのステップが繰り返される動作に対して、ここでもモニタリングされる。
【００３３】
ステップＳ１２０における判断が肯定的なとき、すなわちセットトップボックス２１０の動作を確認／回復しようとする最大数Ｎ−１が達成されたことを示しているとき、ＰＴＲ１００’及び１００”において実施される方法はステップＳ１２１にジャンプする。この間、コントローラ３００は、先行してスケジューリングされた記録動作を取り消し、それからステップＳ１０８を実行する。更に、ステップＳ１２０における判断が肯定的なとき、ＰＴＲ１００’及び１００”において実施される前記方法は、有利なことに、ステップＳ１２２にジャンプし得る。この間、ＰＴＲは、ＰＴＲ１００’及び１００”が前記所望の記録動作を実行できないことをユーザに知らせるためのある内容のアラームを生成する。ステップＳ１２２の間に一旦前記アラームが生成されると、前記ルーチンはステップＳ１０８、すなわちルーチン終了（ｒｏｕｔｉｎｅ  ｅｎｄ）にジャンプする。前記アラーム信号が、有利なことに、オーディオアラーム信号、ビジュアルアラーム信号、又は前記二つの組み合わせとなり得ることは評価されるであろう。更に、ＰＴＲ１００’及び１００”が、有利なことに、モデムを含んでいるため、前記アラーム信号は、前記ユーザ、又は前記セットトップボックスプロバイダ、例えば、ＰＴＲにより発せられる電子メールに応答して、前記セットトップボックスをリセットしようとし得るケーブルシステムオペレータの何れかに対する電子メールのメッセージなり得る。
【００３４】
図５Ａにおいて示されている方法が、ステップＳ１０４及びＳ１０６を使用する必要はないが、代わりに、多数のビデオラインをモニタリングするためのステップＳ１１０及びＳ１１２か、多数のビデオフレームに渡る多数のラインをモニタリングするためのステップＳ１１４及びＳ１１６かの何れかを使用し得ることは評価されるであろう。ステップＳ１０６、Ｓ１１２、及びＳ１１６が類似する一方、各々の確認ステップの間に適用される基準が、モニタリングされている前記セットトップボックスパラメータに関して異なるため、当該確認チェックの各々は別個に示されていることも評価されるであろう。モニタリングサブルーチン、すなわちステップＳ１０４及びＳ１０６、ステップＳ１１０及びＳ１１２、若しくはステップＳ１１４及びＳ１１６のいかなる組み合わせも、有利なことに、ＰＴＲ１００’及び１００”によって実行され得ることも評価されるであろう。実際、上記議論されているサブルーチンの全てが、同時又は連続の何れかの態様で、実行され得る。
【００３５】
図５Ｂは、本発明の他の典型的な実施例による動的なモニタリング方法を示すフローチャートであり、当該フローチャートは、ＰＴＲ１００’及び１００”が、記録イベントはすぐに発生するようにスケジューリングされていると判断するとき、ステップＳ２００で開始する。ステップＳ２０２の間、ＰＴＲ１００’及び１００”は、一つ又はそれ以上の前記列挙された動的なモニタリング方法を実行するために必要とされる命令をロードすると共に初期化する。更に、変数“Ｉ”は所定の値、例えば“１”にセットされる。ステップＳ２０４、すなわちコマンドシーケンスが、セットトップボックス２１０に、対応するシーケンスを実行するよう命令するステップの間、前記動作はセットトップボックス２１０に適用され、セットトップボックス２１０は、ステップＳ２０６の間、例えば前記セットトップボックスの動作を示す電気信号、例えば前記動作シーケンスの間に電流センサ及び光センサのうちの一つによって生成される信号を受信することによってモニタリングされ、前記一つ又は複数の信号は、上記議論されているように、Ｉ／Ｏ３１８を介して受信される。ステップＳ２０８の間、前記セットトップボックスの動作によって生成される信号パターンに基づいて、セットトップボックス２１０が正常に動作しているかどうかを判断するようにチェックがなされる。その応答が肯定的なとき、前記静的なモニタリング方法はステップＳ２１０で停止する。
【００３６】
ステップＳ２０８においてなされる判断が否定的なとき、すなわち前記セットトップボックスは正常に動作していないことを示しているとき、ＰＴＲ１００及び１００”は修正動作、例えば、前記セットトップボックスをオンにする命令を図る。より具体的には、ステップＳ２２４の間、変数Ｉは、“１”によってインクリメントされ、チェックは、値Ｉが所定の数Ｎ、すなわちＰＴＲ１００’及び１００”がセットトップボックス２１０の動作を確認しようとする最大回数よりも大きいかどうかを判断するように、ステップＳ２２６の間、実行される。ステップＳ２２６におけるその応答が否定的な場合、ＰＴＲ１００’及び１００”は、ステップＳ２３０の間、修正コマンド又はコマンドシーケンスを生成すると共にセットトップボックス２１０に入力する。上述のように、当該コマンド又はコマンドシーケンスは、元の信号の強さ又は増大した信号の強さの何れかで、前記セットトップボックスに入力されるオンコマンドになり得る。とにかく、ステップＳ２３０が完了した後、前記セットトップボックスは、適切な動作、例えばステップＳ２０４、Ｓ２０６、及びＳ２０８が繰り返される動作に対して、ここでもモニタリングされる。
【００３７】
ステップＳ２２６における判断が肯定的なとき、すなわちセットトップボックス２１０の動作を確認／回復しようとする最大数Ｎ−１が達成されたことを示しているとき、ＰＴＲ１００’及び１００”において実施される方法はステップＳ２２７にジャンプする。この間、コントローラ３００は、先行してスケジューリングされた記録動作を取り消し、それからステップＳ２１０を実行する。更に、ステップＳ２２６における判断が肯定的なとき、ＰＴＲ１００’及び１００”において実施される前記方法は、有利なことに、ステップＳ２２８にジャンプし得る。この間、ＰＴＲは、ＰＴＲ１００’及び１００”が前記所望の記録動作を実行できないことをユーザに知らせるためのある内容のアラームを生成する。ステップＳ２２８の間に一旦前記アラームが生成されると、前記ルーチンはステップＳ２１０、すなわちルーチン終了にジャンプする。前記アラーム信号が、有利なことに、オーディオアラーム信号、ビジュアルアラーム信号、又は前記二つの組み合わせになり得ることは評価されるであろう。更に、ＰＴＲ１００’及び１００”が、有利なことに、モデムを含んでいるため、前記アラーム信号は、前記ユーザ、又は前記セットトップボックスプロバイダ、例えば、ＰＴＲにより発せられる電子メールに応答して、前記セットトップボックスをリセットしようとし得るケーブルシステムオペレータの何れかに対する電子メールのメッセージとなり得る。
【００３８】
図５Ｂにおいて示されている方法が、ステップＳ２０４、Ｓ２０６及びＳ２０８を使用する必要はないが、代わりに、前記セットトップボックスが動的に繰り返されている間に所定のビデオラインをモニタリングするためのステップＳ２１２、Ｓ２１４及びＳ２１６か、前記セットトップボックスが動的に繰り返されているときに隣接したビデオフレームの所定のセクションをモニタリングするためのステップＳ２１８、Ｓ２２０及びＳ２２２かの何れかを使用し得ることは評価されるであろう。ステップＳ２０８、Ｓ２１６、及びＳ２２２が類似する一方、各々の確認ステップの間に適用される基準が、モニタリングされている前記セットトップボックスパラメータに関して異なるため、当該確認チェックの各々は別個に示されていることは評価されるであろう。モニタリングサブルーチン、すなわちステップＳ２０４、Ｓ２０６及びＳ２０８、ステップＳ２１２、Ｓ２１４及びＳ２１６、若しくはステップＳ２１８、Ｓ２２０及びＳ２２２のいかなる組み合わせも、有利なことに、ＰＴＲ１００’及び１００”によって実行され得ることも評価されるであろう。上記議論されているサブルーチンの全てが、同時又は連続の何れかの態様で、実行され得る。
【００３９】
本発明による静的及び動的なモニタリング方法が、ＰＴＲにおける実現態様に限定されないことは注意されるべきである。本発明の方法は、有利なことに、前記セットトップボックスの下位の他のデバイス、例えば、米国特許第６１７２７１２号において開示されているハードディスクドライブを具備するテレビにおいて使用され得る。
【００４０】
このように、本発明は、特定用途のための特定の実施例に関して、この明細書に記載されている。当業者及びここに記載されている内容を利用する者は、他の変形例、用途例及び実施例が本発明の範囲内にあることを認識するであろう。従って、本発明の範囲内の当該用途例、変形例、及び実施例の何れか及び全てをカバーすることが、従属請求項によって意図されている。
【図面の簡単な説明】
【図１】
従来型のパーソナルテレビ受信器（ＰＴＲ）の上位階層のブロック図を示している。
【図２】
図１に示されているＰＴＲを含むエンタテイメントシステムの上位階層のブロック図を示している。
【図３】
本発明によるＰＴＲの一つの好ましい実施例の上位階層のブロック図を示している。
【図４】
本発明によるＰＴＲの他の好ましい実施例の上位階層のブロック図を示している。
【図５Ａ】
図３及び４に示されているＰＴＲを動作させるための、いかなる組み合わせにおいても実行可能な、いくつかの方法を示すフローチャートを示している。
【図５Ｂ】
図３及び４に示されているＰＴＲを操作するための、いかなる組み合わせにおいても実行可能な、いくつかの方法を示す他のフローチャートを示している。
【図１】
2004519948.tif 000003
【図２】
2004519948.tif 000004
【図３】
2004519948.tif 000005
【図４】
2004519948.tif 000006
【図５Ａ】
2004519948.tif 000007
【図５Ｂ】
2004519948.tif 000008
【国際公開パンフレット】
2004519948.tif 000009
2004519948.tif 000010
2004519948.tif 000011
2004519948.tif 000012
2004519948.tif 000013
2004519948.tif 000014
2004519948.tif 000015
2004519948.tif 000016
2004519948.tif 000017
2004519948.tif 000018
2004519948.tif 000019
2004519948.tif 000020
2004519948.tif 000021
2004519948.tif 000022
2004519948.tif 000023
2004519948.tif 000024
2004519948.tif 000025
2004519948.tif 000026
2004519948.tif 000027
2004519948.tif 000028
2004519948.tif 000029
2004519948.tif 000030
2004519948.tif 000031
【国際調査報告】
2004519948.tif 000032
2004519948.tif 000033